(57)【要約】【課題】欄干パネルが上側で屈曲して所定の位置から傾いた場合であっても、欄干パネルが所定の位置から傾いたことを検出することができる欄干パネル傾き検出装置を得る。【解決手段】アウタデッキ１とインナデッキ２との間に立設され、手摺４を摺動可能に支持したガードレール５が上端部に取り付けられた欄干パネル３の所定の位置からの傾きを検出するエスカレータの欄干パネル傾き検出装置であって、ガードレール５に設けられ、ガードレール５からアウタデッキ１へ向かう光を発生させる投光器６と、アウタデッキ１に設けられ、光を検出する受光器７とを備え、受光器７は、検出した光の強度が所定の強度以下となることで欄干パネル３が所定の位置から傾いたことを検出する。【選択図】図２
2010058866.tif 000002
【特許請求の範囲】
【請求項１】
循環移動体の両脇でアウタデッキとインナデッキとの間に立設され、手摺を摺動可能に支持したガードレールが上端部に取り付けられた欄干パネルの所定の位置からの傾きを検出する乗客コンベアの欄干パネル傾き検出装置であって、
前記ガードレール若しくは前記欄干パネルの上端部の側面、または前記アウタデッキ若しくは前記欄干パネルの根元部の側面の何れか一方に設けられ、他方へ向かう電磁波を発生させる電磁波発生手段と、
前記電磁波発生手段に対向して前記他方に設けられ、前記電磁波を検出する電磁波検出手段とを備え、
前記電磁波検出手段は、検出した前記電磁波の強度が所定の強度以下となることで前記欄干パネルが所定の位置から傾いたことを検出することを特徴とする乗客コンベアの欄干パネル傾き検出装置。
【請求項２】
循環移動体の両脇でアウタデッキとインナデッキとの間に立設され、手摺を摺動可能に支持したガードレールが上端部に取り付けられた欄干パネルの所定の位置からの傾きを検出する乗客コンベアの欄干パネル傾き検出装置であって、
前記ガードレール若しくは前記欄干パネルの上端部の側面、または前記アウタデッキ若しくは前記欄干パネルの根元部の側面の何れか一方に設けられ、他方へ向かう電磁波を発生させる電磁波発生手段と、
前記他方に設けられ、前記他方へ向かう前記電磁波を前記一方へ向かって反射させる電磁波反射手段と、
前記一方に設けられ、前記電磁波を検出する電磁波検出手段とを備え、
前記電磁波検出手段は、検出した前記電磁波の強度が所定の強度以下となることで前記欄干パネルが所定の位置から傾いたことを検出することを特徴とする乗客コンベアの欄干パネル傾き検出装置。
【請求項３】
前記電磁波発生手段の先端部には、前記電磁波を前記他方に向かって指向する指向手段が設けられていることを特徴とする請求項１または請求項２に記載の乗客コンベアの欄干パネル傾き検出装置。
【請求項４】
前記電磁波検出手段からの信号を受けて、音および光の少なくとも一方を発する警報手段をさらに備え、
前記警報手段は、前記欄干パネルが所定の位置から傾いたことを前記電磁波検出手段が検出した場合に、音および光の少なくとも一方を発することを特徴とする請求項１ないし請求項３の何れか１項に記載の乗客コンベアの欄干パネル傾き検出装置。
【請求項５】
前記欄干パネルが所定の位置から傾いたことを前記電磁波検出手段が、所定の時間、継続して検出した場合に、電磁波検出手段は、前記循環移動体の循環移動を制御する制御部へ前記循環移動体の循環移動を停止させる信号を送ることを特徴とする請求項１ないし請求項４の何れか１項に記載の乗客コンベアの欄干パネル傾き検出装置。
【発明の詳細な説明】
【技術分野】
【０００１】
この発明は、欄干パネルが所定の位置から傾いたことを検出する乗客コンベアの欄干パネル傾き検出装置に関する。
【背景技術】
【０００２】
従来、アウタデッキに取り付けられ、欄干パネルの根元部に接触可能な欄干パネル傾き検出手段を備えたエスカレータの欄干パネル傾き検出装置が知られている（例えば、特許文献１参照）。
このものの場合、欄干パネルが、欄干パネル傾き検出手段を押圧するように屈曲して、所定の位置からアウタデッキ側に傾いた場合に、欄干パネル傾き検出手段は欄干パネルが所定の位置から傾いたことを検出する。
【０００３】
【特許文献１】実公昭５１−３５１１８号公報
【発明の開示】
【発明が解決しようとする課題】
【０００４】
しかしながら、このものの場合、例えば、欄干パネルが上側で屈曲し、欄干パネル傾き検出手段が押圧されずに欄干パネルが所定の位置から傾いた場合には、欄干パネル傾き検出手段は、欄干パネルが所定の位置から傾いたことを検出することができないという問題点があった。
【０００５】
この発明は、上述のような問題点を解決することを課題とするものであって、その目的は、欄干パネルが上側で屈曲して所定の位置から傾いた場合であっても、欄干パネルが所定の位置から傾いたことを検出することができる乗客コンベアの欄干パネル傾き検出装置を提供するものである。
【課題を解決するための手段】
【０００６】
この発明に係る乗客コンベアの欄干パネル傾き検出装置は、循環移動体の両脇でアウタデッキとインナデッキとの間に立設され、手摺を摺動可能に支持したガードレールが上端部に取り付けられた欄干パネルの所定の位置からの傾きを検出する乗客コンベアの欄干パネル傾き検出装置であって、前記ガードレール若しくは前記欄干パネルの上端部の側面、または前記アウタデッキ若しくは前記欄干パネルの根元部の側面の何れか一方に設けられ、他方へ向かう電磁波を発生させる電磁波発生手段と、前記電磁波発生手段に対向して前記他方に設けられ、前記電磁波を検出する電磁波検出手段とを備え、前記電磁波検出手段は、検出した前記電磁波の強度が所定の強度以下となることで前記欄干パネルが所定の位置から傾いたことを検出する。
【０００７】
また、この発明に係る乗客コンベアの欄干パネル傾き検出装置は、循環移動体の両脇でアウタデッキとインナデッキとの間に立設され、手摺を摺動可能に支持したガードレールが上端部に取り付けられた欄干パネルの所定の位置からの傾きを検出する乗客コンベアの欄干パネル傾き検出装置であって、前記ガードレール若しくは前記欄干パネルの上端部の側面、または前記アウタデッキ若しくは前記欄干パネルの根元部の側面の何れか一方に設けられ、他方へ向かう電磁波を発生させる電磁波発生手段と、前記他方に設けられ、前記他方へ向かう前記電磁波を前記一方へ向かって反射させる電磁波反射手段と、前記一方に設けられ、前記電磁波を検出する電磁波検出手段とを備え、前記電磁波検出手段は、検出した前記電磁波の強度が所定の強度以下となることで前記欄干パネルが所定の位置から傾いたことを検出する。
【発明の効果】
【０００８】
この発明に係る乗客コンベアの欄干パネル傾き検出装置によれば、ガードレール若しくは欄干パネルの上端部の側面またはアウタデッキ若しくは欄干パネルの根元部の側面の何れか一方に設けられた電磁波発生手段が他方へ向かう電磁波を発生し、他方に設けられた電磁波検出手段が電磁波を検出し、検出した電磁波の強度が所定の強度以下となることで欄干パネルが所定の位置から傾いたことを検出するので、欄干パネルが上側で屈曲することで所定の位置から傾いた場合であっても、欄干パネルが所定の位置から傾いたことを検出することができる。
【０００９】
また、この発明に係る乗客コンベアの欄干パネル傾き検出装置によれば、ガードレール若しくは欄干パネルの根元部の側面またはアウタデッキ若しくは欄干パネルの根元部の側面の何れか一方に設けられた電磁波発生手段が一方から他方へ向かう電磁波を発生し、他方に設けられた電磁波反射手段により他方から一方へ電磁波が反射され、一方に設けられた電磁波検出手段が電磁波を検出し、検出した電磁波の強度が所定の強度以下となることで欄干パネルが所定の位置から傾いたことを検出するので、欄干パネルが上側で屈曲することで所定の位置から傾いた場合であっても、欄干パネルが所定の位置から傾いたことを検出することができる。
【発明を実施するための最良の形態】
【００１０】
以下、この発明の各実施の形態を図に基づいて説明するが、各図において、同一または相当の部材、部位については、同一符号を付して説明する。
実施の形態１．
図１はエスカレータを示す側面図、図２は図１のエスカレータにこの実施の形態に係るエスカレータの欄干パネル傾き検出装置が取り付けられたときの要部断面図である。
乗客コンベアであるエスカレータは、アウタデッキ１と、このアウタデッキ１に沿って配置されたインナデッキ２と、アウタデッキ１とインナデッキ２との間に立設されたガラス板から構成された欄干パネル３とを備えている。
アウタデッキ１、インナデッキ２および欄干パネル３は、循環移動体である踏段（図示せず）の両脇のそれぞれに設けられている。
欄干パネル３の上端部には、無端状の手摺４を摺動可能に支持したガードレール５が取り付けられている。
欄干パネル３の下端部には、欄干パネル３を挟んで保持する欄干パネル保持具１２が設けられている。
【００１１】
この実施の形態に係るエスカレータの欄干パネル傾き検出装置は、ガードレール５の下面に取り付けられた電磁波発生手段である投光器６と、この投光器６に対向してアウタデッキ１の上面に取り付けられた電磁波検出手段である受光器７とを備えている。
投光器６は、アウタデッキ１に向かう電磁波である光を発生させる。
受光器７は投光器６により発生した光を検出し、検出した光の強度が低下して所定の強度以下となった場合に、受光器７は欄干パネル３が所定の位置から傾いたことを検出する。
なお、欄干パネル３の所定の位置には、欄干パネル３の一定の傾き範囲が含まれている。
欄干パネル３がこの傾き範囲を超えて傾いたときに、欄干パネル傾き検出手段は欄干パネル３が所定の位置から傾いたことを検出する。
投光器６および受光器７は、トラスに設けられた電源装置等（図示せず）に配線（図示せず）を介して接続されている。
【００１２】
インナデッキ２の反アウタデッキ１側の端部には、踏段の側面に対向したスカートガード８が設けられている。
スカートガード８には、受光器７に電気的に接続された警報手段であるスピーカ９が取り付けられている。
なお、警報手段は、スピーカ９に限らず、例えば、警報光を発する発光装置であってもよく、また、警報音および警報光の両方を発する装置であってもよい。
受光器７には、踏段の循環移動を制御する制御部（図示せず）が電気的に接続されている。
【００１３】
図３は図２の欄干パネル３が中間部で屈曲して、欄干パネル３が所定の位置から傾いたときのエスカレータを示す要部断面図である。
乗客等が欄干パネル３の上端部をアウタデッキ１側に押圧することで、欄干パネル３が中間部で屈曲し、欄干パネル３が所定の位置から傾いた場合には、投光器６で発生した光が受光器７に直射しない。
その結果、受光器７で検出した光の強度が低下して、検出した光の強度が所定の強度以下となり、受光器７は欄干パネル３が所定の位置から傾いたことを検出する。
受光器７は、欄干パネル３が所定の位置から傾いたことを検出した後、スピーカ９へ信号を送り、スピーカ９が警報音を発する。
欄干パネル３が所定の位置から傾いた状態が、所定の時間、継続した場合には、受光器７が制御部に信号を送り、制御部は踏段の循環移動を停止させる。
欄干パネル３が、根元部から上端部までの間のどの部位で屈曲して、所定の位置から傾いた場合であっても、同様にして、受光器７は、欄干パネル３が所定の位置から傾いたことを検出することができる。
【００１４】
以上説明したように、この実施の形態に係るエスカレータの欄干パネル傾き検出装置によれば、ガードレール５に取り付けられた投光器６が光を発生させ、アウタデッキ１に取り付けられた受光器７が光を検出し、検出した光の強度が所定の強度以下となることで欄干パネル３が所定の位置から傾いたことを受光器７が検出するので、欄干パネル３が、上側で屈曲して、所定の位置から傾いた場合であっても、欄干パネル３が所定の位置から傾いたことを検出することができる。
【００１５】
また、受光器７からの信号を受けて、警報音を発して警報するスピーカ９をさらに備えているので、欄干パネル３が所定の位置から傾いたことを検出した場合に、乗客の注意を喚起することができる。
その結果、欄干パネル３に加えられる応力を低減させることができるので、欄干パネル３の高寿命化を図ることができる。
【００１６】
また、欄干パネル３が所定の位置から傾いたことを受光器７が、所定の時間、継続して検出した場合に、受光器７は、制御部へ踏段の循環移動を停止させる信号を送るので、欄干パネル３が所定の位置から傾いた状態で踏段の循環移動が続くことを防ぐことができる。
【００１７】
なお、この実施の形態では、ガードレール５に取り付けられた投光器６、アウタデッキ１に取り付けられた受光器７について説明したが、勿論このものに限らず、ガードレール５に取り付けられた受光器７、アウタデッキ１に取り付けられた投光器６であってもよい。
また、投光器６および受光器７は、ガードレール５に限らず欄干パネル３の上端部の側面に取り付けられてもよく、アウタデッキ１に限らず欄干パネル３の根元部の側面に取り付けられてもよい。
【００１８】
実施の形態２．
図４はこの実施の形態に係る欄干パネル傾き検出装置が取り付けられたエスカレータを示す要部断面図である。
この実施の形態に係る欄干パネル傾き検出手段は、投光器６に、発生した光を指向する指向手段である指向板１０が取り付けられている。
指向板１０によって、投光器６からの光が受光器７に向かって指向され、投光器６からの光の拡散が抑制される。
これにより、欄干パネル３が所定の位置から傾いたときに、投光器６からの光が受光器７に当たりにくくなり、受光器７による欄干パネル３の傾きの検出の信頼性を向上させることができる。
その他の構成は、実施の形態１と同様である。
【００１９】
この実施の形態に係る欄干パネル傾き検出装置によれば、投光器６には、光を指向する指向板１０が取り付けられているので、受光器７による欄干パネル３の傾きの検出の信頼性を向上させることができる。
【００２０】
実施の形態３．
図５はこの実施の形態に係る欄干パネル傾き検出装置が取り付けられたエスカレータを示す要部断面図である。
この実施の形態に係る欄干パネル傾き検出装置は、アウタデッキ１の上面に投光器６および受光器７が取り付けられ、ガードレール５の下面に電磁波反射手段である反射板１１が取り付けられている。
【００２１】
投光器６で発生した光は、ガードレール５へ向かい、反射板１１で反射して、受光器７に検出される。
欄干パネル３が上側で屈曲して所定の位置から傾いた場合には、投光器６で発生した光が反射板１１に反射されにくくなるので、受光器７で検出した光の強度が低下して、検出した光の強度が所定の強度以下となり、受光器７は欄干パネル３が所定の位置から傾いたことを検出する。
その他の構成は、実施の形態１と同様である。
なお、実施の形態２に記載の指向板１０を、投光器６に取り付けて、投光器６からの光の指向性を向上させてもよい。
【００２２】
この実施の形態に係る欄干パネル傾き検出手段によれば、アウタデッキ１に投光器６および受光器７が取り付けられ、ガードレール５に、投光器６から発生した光を受光器７へ向かって反射する反射板１１が取り付けられているので、投光器６および受光器７と電源装置等とを接続する配線を短くすることができる。
【００２３】
なお、この実施の形態では、アウタデッキ１に取り付けられた投光器６および受光器７と、ガードレール５に取り付けられた反射板１１とについて説明したが、勿論このものに限らず、アウタデッキ１に取り付けられた反射板１１と、ガードレール５に取り付けられた投光器６および受光器７とであってもよい。
また、投光器６、受光器７および反射板１１は、ガードレール５に限らず欄干パネル３の上端部の側面に取り付けられてもよく、アウタデッキ１に限らず欄干パネル３の根元部の側面に取り付けられてもよい。
【００２４】
また、上記各実施の形態では、乗客コンベアとして、エスカレータを例に説明したが、勿論このものに限らず、動く歩道であってもよい。
【００２５】
また、上記各実施の形態では、電磁波として光を例に説明したが、勿論このものに限らず、例えば、電波等であってもよい。
【図面の簡単な説明】
【００２６】
【図１】エスカレータを示す側面図である。
【図２】図１のエスカレータにこの発明の実施の形態１に係るエスカレータの欄干パネル傾き検出装置が取り付けられたときの要部断面図である。
【図３】図２の欄干パネルが中間部で屈曲して、欄干パネルが所定の位置から傾いたときのエスカレータを示す要部断面図である。
【図４】この発明の実施の形態２に係る欄干パネル傾き検出装置が取り付けられたエスカレータを示す要部断面図である。
【図５】この発明の実施の形態３に係る欄干パネル傾き検出装置が取り付けられたエスカレータを示す要部断面図である。
【符号の説明】
【００２７】
１  アウタデッキ、２  インナデッキ、３  欄干パネル、４  手摺、５  ガードレール、６  投光器（電磁波発生手段）、７  受光器（電磁波検出手段）、８  スカートガード、９  スピーカ（警報手段）、１０  指向板（指向手段）、１１  反射板（電磁波反射手段）、１２  欄干パネル保持具。
【図１】
2010058866.tif 000003
【図２】
2010058866.tif 000004
【図３】
2010058866.tif 000005
【図４】
2010058866.tif 000006
【図５】
2010058866.tif 000007